(57)【要約】【課題】ベルトもストラップも使わないブラジャーカップの内側に減圧室２を設け、減圧室２を負圧にする事で乳房に吸付き固定する減圧室付吸付きブラジャー及び減圧室の負圧の圧力を時間を区切って変化させる事で乳房のマッサージをするマッサージ機能付減圧室付吸付きブラジャーの開発です。【解決手段】カップ１に密着布３と減圧調整弁４を取り付けて、取り付け部及びカップ１を空気の通さない密閉できるブラジャーカップに加工して、カップ１の内部に弾力性が有って空気を通し空気を保有できる物質でできた減圧室２を設けたブラジャーカップで乳房に被せて減圧室２を負圧にして乳房に吸付き固定する減圧室付吸付きブラジャー。【選択図】図３
2008121171.tif 000002
【特許請求の範囲】
【請求項１】
カップ１は空気を通さない形状記憶素材で作った半球体状態で乳房７に被せるブラジャーの本体で、開口部の回りに乳房７に密着してカップ１の内部を密閉する働きのある伸縮自在で空気を通さない密着布２を設けて、カップ１の内部に空気を通す内張布３を張り、カップ１と内張布３の間に空気を通す弾性多孔物質４を詰め、カップ１の内部の空気を外に汲み出す減圧ポンプ５を配し、カップ１の内部全体の内張布３とカップ１のすき間空間を使った減圧室６のあるブラジャーカップにおいて。ブラジャーカップを乳房７に被せて減圧ポンプ５でカップ１の内部の空気を汲み出して内部を負圧状態にしてブラジャーカップ全体で乳房７に吸付いて乳房に固定する減圧室付吸付きブラジャー。
【請求項２】
請求項１に示した減圧室付吸付きブラジャーにおいて
減圧弁だけを残して減圧ポンプ５を取り除きブラジャーを着用する時に外部の減圧装置を使って着用する減圧室付吸付きブラジャー。
【発明の詳細な説明】
【技術分野】
【０００１】本発明は女性のブラジャーに関する発明です。
【背景の技術】
【０００２】
【特許文献１】
【特許文献２】
【非特許文献１】
【非特許文献２】
乳房にブラジャーのカップを固定するのにベルトとストラップを使うブラジャーとシリコンの粘着力を利用して乳房に貼り付けて固定するブラジャーの２通りのブラジャーが有ります。
【発明の開示】
【発明が解決しょうとする課題】
【０００３】乳房にブラジャーのカップを固定するのにベルトとストラップを使うブラジャーとシリコンの粘着力を利用して乳房にカップを貼り付けて固定る２つの方法のブラジャーが有ります。前者は、カップのサイズとアンダーバストのサイズの組み合わせで選ぶのでサイズ数が多くなるのとベルトとストラップの肉体への縛りが苦痛になります。後者は、シリコンの粘着力だけで貼り付けて固定しているので連続しての長時間の使用が出来ないのと、汗ではがれ落ちる欠点が有ります。
本発明はベルトもストラップも無くして、連続して長時間使用が出来るブラジャーの開発です。
【課題を解決するための手段】
【０００４】解決手段を図面を追いながら説明すれば、
カップ１は空気を通さない形状記憶素材で作った半球体状態で、乳房７に被せるブラジャー本体である。カップ１の開口部の回りに乳房７に密着してカップ１の内部を密閉する働きのある伸縮自在で空気を通さない密着布２を設けます。カップ１の内部に空気を通す内張布３を張りカップ１と内張布３の間に空気を通す弾性多孔物質４を詰めて、カップ１の内部の空気を外に汲み出す減圧ポンプ５を取り付けます。カップ１の内部全体に内張布３とカップ１のすき間空間を使った減圧室６のあるブラジャー。
作用を図面を追いながら説明すれば。図２より空気を通さない形状記憶素材で作ったカップ１に密着布２、内張布３、弾性多孔物質４、減圧ポンプ５、カップ１と内張布３のすき間空間部分の減圧室６を配したブラジャーカップの密着布２の乳房と接する部分に湿潤剤を塗布して図３の様に乳房７に被せます。密着布２は、伸びて折れ曲がって乳房７と内張布３の間に挟まれて密着布２の復元力で常に乳房を捕まえてカップ１の内部を密閉します。乳房７とカップ１に挟まれた減圧ポンプ５を使ってカップ１の内部の空気を外に汲み出し内部を負圧状態にしますカップ１の内部全体に広がっている減圧室６で乳房７にカップ１の内部全体で吸付き吸い寄せてブラジャーカップをベルトもストラップも無しで乳房に固定します。負圧で固さを増した乳房とカップ１の固さが合わさって、重力で垂れ気味だった乳房が前に突き出てきます。
カップ１内部の気圧は減圧ポンプ５で常に調節出来ます。
請求項２の減圧ポンプを取り除き、減圧弁８だけを取り付けた減圧室付吸付きブラジャーは乳房７に固定する時に外部の減圧装置を使ってカップ内部を負圧にして着用します。
【発明の効果】
【０００５】本発明の優れた点は、ベルトもストラップも無しでブラジャーとして長時間乳房に固定出来ます。
サイズが少なくて済みますので、自分のサイズが選びやすくなります。
【発明を実施するための最良の形態】
【０００６】カップ１と密着布２は、空気を通さない密閉加工した軟質発砲ウレタンフォームで一体形成加工します。
内張布３と弾性多孔物質４は、キルティングした布を使います。
減圧ポンプは、トップ部分の減圧室６に減圧弁８とスプリング効果のある中空スポンジを使います。装着時ブラジャーのトップ部分を外から押さえてカップ１を変形させながら減圧します。
減圧ポンプを内蔵しないで減圧弁だけを取り付けた着用時だけ外部の減圧装置を使って着用するブラジャーも作れます。
【産業上の利用可能性】
【０００７】
【図面の簡単な説明】
【０００８】
【図１】
【０００９】減圧室付吸付きブラジャーの正面図
【図２】
【００１０】ブラジャーカップＡＡ断面図
【図３】
【００１１】ブラジャーカップＡＡ断面着用図
【符号の説明】
１  カップ
２  密着布
３  内張布
４  弾性多孔物質
５  減圧ポンプ
６  減圧室
７  乳房
８  減圧弁
９  フロントホック
【図１】
2008121171.tif 000003
【図２】
2008121171.tif 000004
【図３】
2008121171.tif 000005
【手続補正書】
【提出日】平成19年3月10日(2007.3.10)
【手続補正１】
【補正対象書類名】特許請求の範囲
【補正対象項目名】全文
【補正方法】変更
【補正の内容】
【特許請求の範囲】
【請求項１】
空気を通さない全体に気密加工した乳房に被せる半球状のカップ１に、カップ１の開口部の回りに伸縮自在で空気を通さないゴム性の帯状の布でできた密着布３と減圧調整弁４を取り付け、取り付け部分も空気を通さない気密加工したカップ１の内側に弾力性が有って空気を通して空気を保有できる隙間の有る物質でできた減圧室２を設けたブラジャーカップにおいて、
乳房に被せて取り付け時、密着布３がその素材の伸縮性及びゴム質の働きでカップ１の内側に折れ込み密着布３の復元力で乳房を軽くつまむ状態で乳房を常に捕まえてブラジャーカップの内側を密閉して、減圧調整弁４から減圧室２の空気を抜いて減圧室２を負圧状態にしてカップ１の内部全体で乳房に吸付き乳房も負圧状態にして固定する減圧室付吸付きブラジャー。
【請求項２】
請求項１に示した減圧室付吸付きブラジャーにおいて、
ブラジャーとして着用時、減圧室２の負圧の圧力を時間を区切って変化させて圧力の変化でブラジャー内の乳房をマッサージして授乳時の様な刺激を加える乳房マッサージ機能付減圧室付吸付きブラジャー。
【手続補正２】
【補正対象書類名】明細書
【補正対象項目名】全文
【補正方法】変更
【補正の内容】
【発明の詳細な説明】
【技術分野】
【０００１】本発明は女性のブラジャーに関する発明です。
【背景の技術】
【０００２】乳房にブラジャーカップを固定するのにベルトとストラップを使うブラジャーとシリコンの粘着力を利用して乳房に貼り付けて固定するブラジャーの２通りのブラジャーがあります。
【発明の開示】
【発明が解決しようとする課題】
【０００３】乳房にブラジャーカップを固定するのにベルトとストラップを使うブラジャーとシリコンの粘着力を利用して乳房にカップを貼り付けて固定するブラジャーの２通りがが有ります。前者はトップとアンダーバストの差やカップのサイズ等の組み合わせで選ぶのでサイズ数が多くなるのとベルトとストラップの肉体への縛りが苦痛です。後者はシリコンの粘着力だけで貼り付けて固定しているので皮脂や汗ではがれ落ちるのと、接着面である乳房とブラジャーを常に洗浄して乾燥させてから使用しなければならない欠点があります。
本発明はベルトもストラップも無くして乳房に貼り付けるのでもなく、ブラジャーカップの内側に減圧室２を設け、この減圧室２を負圧にすることでブラジャーカップ全体で乳房に吸付き乳房も負圧状態にして乳房に固定する減圧室付吸付きブラジャー及び減圧室２の負圧の圧力を時間を区切って変化させる事で乳房マッサージ機能付減圧室付吸付きブラジャーの開発です。
【課題を解決するための手段】
【０００４】解決手段を図面を追いながら説明します。
空気を通さない全体に気密加工した乳房に被せる半球状のカップ１に、カップ１の開口部の回りに伸縮自在で空気を通さないゴム性の帯状の布でできた密着布３と減圧調整弁４を取り付けて、取り付け部分も空気を通さない気密加工したカップ１の内側に弾力性が有って空気を通して空気を保有できる隙間の有る物質でできた減圧室２を設けたブラジャーカップにおいて、
図３より、乳房に被せて取り付け時、密着布３がその素材の伸縮性及びゴム質の働きでカップ１の内側に折れ込み密着布３の復元力で乳房を軽くつまむ状態で常に乳房を捕まえてブラジャーカップの内側を密閉して、減圧調整弁４から減圧室２の空気を抜いて減圧室２を負圧状態にしてカップ１の内部全体で乳房に吸付き乳房も負圧状態にして固定する減圧室付ブラジャー及び減圧室２の負圧の圧力を時間を区切って変化させる事で授乳時の様な刺激を乳房に加える乳房マッサージ機能付減圧室付吸付きブラジャーの開発です。
【発明の効果】
【０００５】本発明の優れた点は、ベルトもストラップも無しでブラジャーとして長時間の使用が可能です。
ブラジャーのサイズが少なくて済みます。
ブラジャーカップ内の減圧室２の負圧の圧力を時間を区切って変化させる事で乳房に授乳時の様な刺激で乳房をマッサージして豊かな乳房にします。
【発明を実施するための最良の形態】
【０００６】乳房に被せる半球体状のカップ１は布等で仕立、シリコンゴム等で作った密着布３及び減圧調整弁４をカップ１の開口部に取り付けて、取り付け部分及びカップ１の内部全体にシリコンやゴム等を塗布及び溶着させてカップ１が空気の漏れない密閉できるブラジャーカップに加工して、カップ１内部に弾力性の有る空気を通し空気を保有できる隙間の有る物質でできた減圧室２を取り付けて減圧室付吸付きブラジャーに仕上げます。
減圧室付吸付きブラジャーに着脱式ベルトと携帯減圧ポンプを組み込んで時間を区切ってブラジャーカップ内の減圧室２の負圧の圧力を変化させて乳房をマッサージするマッサージ機能付減圧室付吸付きブラジャーもできます。
ストラップとベルトのある従来からのブラジャーカップの中にパットの代わりに減圧室付吸付きブラジャーを入れてマッサージ機能付ブラジャーとしても使えます。
【産業上の利用可能性】
【０００７】
【図面の簡単な説明】
【０００８】
【０００９】
【図１】減圧室付吸付きブラジャーの正面図
【００１０】
【図２】ブラジャーカップＡＡ断面図
【００１１】
【図３】ブラジャーカップＡＡ断面着用図
【符号の説明】
１  カップ
２  減圧室
３  密着布
４  減圧調整弁
５  フロントホック
【手続補正３】
【補正対象書類名】図面
【補正対象項目名】全図
【補正方法】変更
【補正の内容】
【図１】
2008121171.tif 000006
【図２】
2008121171.tif 000007
【図３】
2008121171.tif 000008
【手続補正書】
【提出日】平成19年4月18日(2007.4.18)
【手続補正１】
【補正対象書類名】特許請求の範囲
【補正対象項目名】請求項３
【補正方法】追加
【補正の内容】
【請求項３】
請求項１に示した減圧室付吸付きブラジャー装置において、
体の肘や膝や肩等の関節のサイズに加工して、関節に取り付けて、減圧室２の負圧の圧力を時間を区切って変化させて圧力の変化で関節部分のマッサージをする負圧式マッサージャー
【手続補正書】
【提出日】平成19年6月20日(2007.6.20)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
空気を通さない全体に気密加工した乳房に被せる半球状のカップ１に、カップ１の開口部の回りに伸縮自在で空気を通さないゴム性のドーナツ状の布でできた密着布３と減圧調整弁４を取り付け、取り付け部分も気密加工したカップ１の内側に弾力性が有って空気を通して空気を保有できる隙間の有る物質でできた減圧室２を設けたブラジャーカップにおいて
乳房に被せて取り付け時、密着布３が素材の伸縮性及びゴム性の働きでカップ１の内側に折れ込み密着布３の復元力で乳房を軽くつまむ状態で乳房を常に捕まえてブラジャーカップの内側を密閉して、減圧調整弁４から減圧室２の空気を抜いて減圧室２を負圧状態にしてカップ１の内側全体で乳房に吸付き乳房も負圧状態にして乳房に固定する減圧室付吸付きブラジャー。
【請求項２】
請求項１に示した減圧室付吸付きブラジャーにおいて
ブラジャーとして着用時、減圧室２の負圧の圧力を時間を区切って変化させて圧力の変化でブラジャーカップ内の乳房をマッサージして授乳時のような刺激を加える乳房マッサージ機能付減圧室付吸付きブラジャー。
【請求項３】
請求項１に示した減圧室付吸付きブラジャーにおいて
乳房ではない肘、膝、肩等の関節や臀部等に装着して減圧室２の負圧の圧力を時間を区切って変化させて圧力の変化で関節等をマッサージする減圧室付負圧式マッサージャー。